(57)【要約】【課題】ロック機構を少ない部品点数で簡易に構成し、組み付けが容易で、安価に製造することができる折り畳み式運搬台車を提供することを目的とする。【解決手段】左右方向に貫通する傾斜長孔９を設けた操作部６を、底板部１の前側に設けた貫通孔５内に上下動自在に設け、この貫通孔５に配設した操作部６の傾斜長孔９及び底板部１に設けた補強板部10の横長水平ガイド孔11にロック杆12を挿通配設し、操作部６を下動操作するとロック杆12が横長水平ガイド孔11に沿って水平移動してロック杆係合部13と係合してロック状態となり、上動操作するとロック杆12が横長水平ガイド孔11に沿って前後方向に水平移動してロック杆係合部13から離脱してロック解除状態となる折り畳み操作ロック機構を備えた折り畳み式運搬台車。【選択図】図２
2015067205.tif 000002
【特許請求の範囲】
【請求項１】
運搬物を載置する底板部と、この底板部を囲むように立設した背部及び左右の側部と、この背部若しくは側部の下端に設けた車輪部とから成り、前記背部の下部側に前記底板部の一辺部を枢着して、この底板部を前記背部に対して折り畳み重合自在に設けると共に、この底板部の折り畳み操作を不能にする折り畳み操作ロック機構を備えた折り畳み式運搬台車において、前記折り畳み操作ロック機構は、合成樹脂製の前記底板部の前側部に上下方向に貫通する貫通孔を設け、この貫通孔内に箱状若しくはブロック状に形成した操作部を該貫通孔の内面に沿って上下動自在に設けると共に、上動した際、前記貫通孔の上部開口部から上端部が突出し、下動した際、前記貫通孔の下部開口部から下端部が突出するように構成し、前記操作部に、この操作部の左右方向に貫通する傾斜長孔を設け、前記底板部の裏面側で且つ前記貫通孔の左右両側に、この貫通孔の左右側面と平行な補強板部を複数並設すると共に、夫々の補強板部の板面に前後方向に長さを有する横長水平ガイド孔を設け、この横長水平ガイド孔と前記貫通孔に設けた操作部の傾斜長孔とにロック杆を挿通配設し、このロック杆を、前記上部開口部から突出する前記操作部の上端部を下方に向かって押圧する下動操作により前記横長水平ガイド孔に沿って前後方向に水平移動してロック位置に移動し、前記下部開口部から突出する前記操作部の下端部を上方に向かって押圧する上動操作により前記横長水平ガイド孔に沿って前後方向に水平移動してロック解除位置に移動するように構成し、このロック杆がロック位置に移動した際、このロック杆と係合して前記底板部の折り畳み方向への回動動作を不能にするロック杆係合部を左右夫々の前記側部に設けた構成としたことを特徴とする折り畳み式運搬台車。
【請求項２】
前記操作部を下動操作して前記ロック杆をロック位置に移動させた際、前記操作部の上端面が前記底板部の載置面と面一状態となる、若しくは、前記底板部の載置面より下方に位置するように構成したことを特徴とする請求項１記載の折り畳み式運搬台車。
【請求項３】
前記底板部の左右側面の一方に前記横長水平ガイド孔と連通するロック杆挿入孔を設け、このロック杆挿入孔から前記ロック杆を前記横長水平ガイド孔及び前記傾斜長孔に挿通配設した後、前記ロック杆挿入孔に閉塞蓋を取り付けて、前記ロック杆を抜け止め状態に設けたことを特徴とする請求項１，２のいずれか１項に記載の折り畳み式運搬台車。
【発明の詳細な説明】
【技術分野】
【０００１】
本発明は、運搬物を運搬する際に用いる折り畳み式運搬台車に関するものである。
【背景技術】
【０００２】
従来、収納時に場所を取らずに収納できるように折り畳み収納可能に構成した折り畳み式運搬台車が提案されている。
【０００３】
この種の折り畳み式運搬台車は、運搬物を載置する底板部を背部側に折り畳み重合自在に設けると共に、左右の側部の一方又は双方を背部側に折り畳み重合自在に設けて、Ｌ字状又は平板状に折り畳み収納自在に構成して、不使用時に倉庫などに収納する際、コンパクトに折り畳んで重ね合わせ収納可能、所謂ネスティング収納可能に構成されているものが多い。
【０００４】
また、この折り畳み式運搬台車は、運搬作業時に底板部が勝手に折り畳まれないよう、例えば特許文献１や特許文献２（以下、従来例と称す。）に示すような、組み立て状態（水平状態）を保持するロック機構を底板部に設けたものが多く提案されている。
【先行技術文献】
【特許文献】
【０００５】
【特許文献１】特許第３３８２０６６号公報
【特許文献２】特許第３４８１８４９号公報
【発明の概要】
【発明が解決しようとする課題】
【０００６】
しかしながら、従来例のロック機構は、バネ部材を用いた構成としており、ロック機構を構成する部品の点数が多かったり、複雑な構造で組み立て工数が多かったりして、製造コストが高くなってしまう問題があった。
【０００７】
本発明は、このような現状に鑑み、ロック機構を少ない部品点数で簡易に構成し、組み付けが容易で、安価に製造することができ、更に操作性にも優れた実用性に優れた画期的な折り畳み式運搬台車を提供することを目的とする。
【課題を解決するための手段】
【０００８】
添付図面を参照して本発明の要旨を説明する。
【０００９】
運搬物を載置する底板部１と、この底板部１を囲むように立設した背部２及び左右の側部３と、この背部２若しくは側部３の下端に設けた車輪部４とから成り、前記背部２の下部側に前記底板部１の一辺部を枢着して、この底板部１を前記背部２に対して折り畳み重合自在に設けると共に、この底板部１の折り畳み操作を不能にする折り畳み操作ロック機構を備えた折り畳み式運搬台車において、前記折り畳み操作ロック機構は、合成樹脂製の前記底板部１の前側部に上下方向に貫通する貫通孔５を設け、この貫通孔５内に箱状若しくはブロック状に形成した操作部６を該貫通孔５の内面に沿って上下動自在に設けると共に、上動した際、前記貫通孔５の上部開口部７から上端部が突出し、下動した際、前記貫通孔５の下部開口部８から下端部が突出するように構成し、前記操作部６に、この操作部６の左右方向に貫通する傾斜長孔９を設け、前記底板部１の裏面側で且つ前記貫通孔５の左右両側に、この貫通孔５の左右側面と平行な補強板部10を複数並設すると共に、夫々の補強板部10の板面に前後方向に長さを有する横長水平ガイド孔11を設け、この横長水平ガイド孔11と前記貫通孔５に設けた操作部６の傾斜長孔９とにロック杆12を挿通配設し、このロック杆12を、前記上部開口部７から突出する前記操作部６の上端部を下方に向かって押圧する下動操作により前記横長水平ガイド孔11に沿って前後方向に水平移動してロック位置に移動し、前記下部開口部８から突出する前記操作部６の下端部を上方に向かって押圧する上動操作により前記横長水平ガイド孔11に沿って前後方向に水平移動してロック解除位置に移動するように構成し、このロック杆12がロック位置に移動した際、このロック杆12と係合して前記底板部１の折り畳み方向への回動動作を不能にするロック杆係合部13を左右夫々の前記側部３に設けた構成としたことを特徴とする折り畳み式運搬台車に係るものである。
【００１０】
また、前記操作部６を下動操作して前記ロック杆12をロック位置に移動させた際、前記操作部６の上端面が前記底板部１の載置面１Ａと面一状態となる、若しくは、前記底板部１の載置面１Ａより下方に位置するように構成したことを特徴とする請求項１記載の折り畳み式運搬台車に係るものである。
【００１１】
また、前記底板部１の左右側面の一方に前記横長水平ガイド孔11と連通するロック杆挿入孔14を設け、このロック杆挿入孔14から前記ロック杆12を前記横長水平ガイド孔11及び前記傾斜長孔９に挿通配設した後、前記ロック杆挿入孔14に閉塞蓋15を取り付けて、前記ロック杆12を抜け止め状態に設けたことを特徴とする請求項１，２のいずれか１項に記載の折り畳み式運搬台車に係るものである。
【発明の効果】
【００１２】
本発明は上述のように構成したから、折り畳み操作ロック機構の構成部品が少数で、且つ簡易な構成となり、組み付けが容易で安価に製造することができ、しかも、操作性にも優れた実用性に優れた画期的な折り畳み式運搬台車となる。
【００１３】
また、請求項２記載の発明においては、ロック状態とロック解除状態との識別が一目で認知することができる一層実用性に優れた折り畳み式運搬台車となる。
【００１４】
また、請求項３記載の発明においては、ロック杆を容易に抜け止め状態にすることができ、一層容易に組み付けることができる画期的な折り畳み式運搬台車となる。
【図面の簡単な説明】
【００１５】
【図１】本実施例の使用状態（底板部が水平展開状態）を示す斜視図である。
【図２】本実施例の使用状態（底板部が折り畳み収納状態）を示す斜視図である。
【図３】本実施例の底板部及び操作部を示す説明斜視図である。
【図４】本実施例の底板部の裏面側を示す説明平面図である。
【図５】本実施例の底板部の裏面側要部を示す説明斜視図である。
【図６】本実施例の底板部の裏面側要部を示す説明斜視図である。
【図７】本実施例の折り畳み操作ロック機構の動作説明図である。
【図８】本実施例の折り畳み操作ロック機構の動作説明図である。
【図９】本実施例の折り畳み操作ロック機構の動作説明図である。
【発明を実施するための形態】
【００１６】
好適と考える本発明の実施形態を、図面に基づいて本発明の作用を示して簡単に説明する。
【００１７】
本発明の折り畳み操作ロック機構は、底板部１が伏倒状態（水平状態）において、底板部１の上部開口部７から突出する操作部６の上端部を下方に向かって押圧してこの操作部６を下動操作すると、この操作部６の下動に伴い、ロック杆12が操作部６に設けた傾斜長孔９の上側傾斜縁に押圧されこの上側傾斜に沿いつつ、横長水平ガイド孔11によって上下方向の移動が規制され、前後方向にスムーズに水平移動しロック杆係合部13と係合するロック位置に移動する。
【００１８】
このロック杆12がロック位置に移動した状態では、底板部１を起立回動させて折り畳もうとすると、ロック杆12がロック杆係合部13に係止し、起立回動不能なロック状態となり、底板部１の伏倒状態が保持される。
【００１９】
また、この折り畳み操作ロック機構がロック状態において、底板部１の下部開口部８から突出する操作部６の下端部を上方に向かって押圧してこの操作部６を上動操作すると、この操作部６の上動に伴い、ロック杆12が操作部６に設けた傾斜長孔９の下側傾斜縁に押圧されこの下側傾斜に沿いつつ、横長水平ガイド孔11によって上下方向の移動が規制され、前後方向にスムーズに水平移動しロック杆係合部13から離脱しロック解除位置に移動して折り畳み操作ロック機構がロック解除状態となる。
【００２０】
即ち、このロック杆12がロック解除位置に移動した状態では、底板部１を起立回動させても、ロック杆12がロック杆係合部13に係止しないので、この底板部１が起立回動自在になり、この底板部１を起立回動させて背部２に重合状態にして折り畳み収納状態にすることができる。
【００２１】
このように、本発明は、折り畳み操作ロック機構の構成部品が少数で、且つ簡易な構成となるから、組み付けが容易で安価に製造することができ、しかも、折り畳み操作ロック機構のロック操作及びロック解除操作は、底板部１の回動操作方向と同じ方向、即ち、ロック操作方向は、底板部１を伏倒回動操作する方向と同じ方向の下動操作、ロック解除操作方向は、底板部１を起立回動操作する方向と同じ方向の上動操作なので、底板部１の回動操作と折り畳み操作ロック機構のロック操作が一連の動作の中で行うことができ、極めて操作性に優れた画期的な折り畳み式運搬台車となる。
【００２２】
また、例えば、操作部６を下動操作してロック杆12をロック位置に移動させた際、操作部６の上端面が底板部１の載置面１Ａと面一状態となる、若しくは、底板部１の載置面１Ａより下方に位置するように構成にすれば、操作部６の上端部が底板部１の上部開口部７から突出していなければ折り畳み操作ロック機構がロック状態であると容易に認知でき、また、操作部６の上端部が底板部１の上部開口部７から突出していれば折り畳み操作ロック機構がロック解除状態であると容易に認知できるから、ロック状態とロック解除状態との識別が一目で認知することができる一層実用性に優れた折り畳み式運搬台車となる。
【実施例】
【００２３】
本発明の具体的な実施例について図面に基づいて説明する。
【００２４】
本実施例は、図１，２に示すように、運搬物を載置する底板部１と、この底板部１を囲むように立設した背部２及び左右の側部３と、この背部２若しくは側部３の下端に設けた車輪部４とから成り、背部２の下部側に底板部１の一辺部を枢着して、この底板部１を背部２に対して折り畳み重合自在に設けると共に、この底板部１の折り畳み操作を不能にする折り畳み操作ロック機構を備えた折り畳み式運搬台車である。
【００２５】
具体的には、本実施例の背部２は、金属板で形成したアングル状の下部フレーム２Ａに、コ字状に形成した金属パイプ製の枠体２Ｂを立設状態に設け、この立設状態に設けた枠体２Ｂの左右の縦枠間に横杆材を適宜な間隔をおいて複数架設し、枠体２Ｂの横枠と下部フレーム２Ａとの間に縦杆材を適宜な間隔をおいて複数架設して、格子状に形成した構成としている。
【００２６】
また、本実施例の背部２は、下部フレーム２Ａの左右両端部に方形板状に形成した車輪取付け部16を設け、この車輪取付け部16に車輪部４を設けると共に、後述する底板部１の回動支点となる支軸（回動軸）を支持する一対の支持部17を設けた構成としている。
【００２７】
また、左右の側部３は、いずれも上述した背部２と同様に、金属板で形成したアングル状の下部フレーム３Ａに、コ字状に形成した金属パイプ製の枠体３Ｂを立設状態に設け、この立設状態に設けた枠体３Ｂの左右の縦枠間に横杆材を適宜な間隔をおいて複数架設し、枠体３Ｂの横枠と下部フレーム３Ａとの間に縦杆材を適宜な間隔をおいて複数架設して、格子状に形成した構成としている。
【００２８】
また、左右の側部３は、夫々の下部フレーム３Ａの前方側（本実施例では背部２側を後方側とし、背部２及び側部３で形成されたコ字状囲い部の開口部側を前方側とする。）に、車輪取付け部16を設けると共に、この車輪取付け部16に車輪部４を設け、更に、後述する折り畳み操作ロック機構を構成するロック杆係合部13を設けた構成としている。
【００２９】
また、本実施例は、左右側部３の一方を折り畳み収納自在に設けた構成とし、折り畳み収納状態がＬ字状となるように構成して、収納時はネスティング状態で収納し得るように構成している。
【００３０】
具体的には、左側部３は、背部２に対して直交状態に配設し、左側部３の枠体３Ｂの後方側縦枠と、背部２の枠体２Ｂの左側縦枠とを連結具18を介して連結した構成とし、右側部３は、背部２に対して直交状態に配設し、右側部３の枠体３Ｂの後方側縦枠と、背部２の枠体２Ｂの右側縦枠とを枢着連結具19を介して枢着連結して、この右側部３を背部２に対して折り畳み重合自在に設けた構成としている。
【００３１】
尚、本実施例では上述のように、右側部３を背部２に対して回動自在に設けて背部２に折り畳み重合自在に設けた構成としたが、左側部３を回動自在に設けても良く、また、左右両方の側部３を回動自在に設けた構成としても良い。
【００３２】
また、符号20は、左側部３の枠体３Ｂの前側縦枠と、右側部３の枠体３Ｂの前側縦枠との間に架設することで、右側部３を背部２に対して直交状態に位置決めると共に、この右側部３の回動動作を阻止して変形を防止する架設杆20である。
【００３３】
また、底板部１は、図３に示すように、載置部をハニカム構造に形成した合成樹脂製の方形状板状体から成り、軽量化を図ると共に耐荷重強度に優れた構造とし、また、背部２側の側周面に上述した背部２の下部フレーム２Ａに設けた支持部17に係合する軸受部21を設け、この支持部17と軸受部21とを係合させた状態でこれらに設けた軸挿通孔に回動軸を挿通して、この底板部１を回動自在に設けて背部２に対して折り畳み重合自在に設けた構成としている。
【００３４】
また更に、底板部１は、左右側の各側周面に、起立回動して背部２と重合状態にした際、伏倒回動を阻止しこの背部２との重合状態を保持する係止部22を夫々設けた構成とし、この係止部22は、押圧により弾性変形する構成とすると共に、底板部１を起立回動させた際、左右の側部３の枠体３Ｂの後側枠体に当接する構成とし、起立回動途中で左右の側部３の枠体３Ｂの後側枠体に当接した際、押圧により弾性変形（反り変形）して前記後側枠体を乗り越え、この後側縦枠を乗り越えた後、復帰弾性して、この後側縦枠に係止し、底板部１の起立状態（背部２との重合状態）が保持されるように構成している。
【００３５】
また、底板部１は、ハニカム構造にした載置部に、左右方向に横断する金属製の補強パイプ23を設けた構成（本実施例では、間隔をあけて二本配設した構成）とし、より一層耐荷重強度の向上を図った構成としている。
【００３６】
また更に、底板部１は、折り畳み操作ロック機構により折り畳み操作不能となる構成としている。
【００３７】
この折り畳み操作ロック機構は、底板部１の前側部に上下方向に貫通する貫通孔５を設け、この貫通孔５内に箱状若しくはブロック状に形成した操作部６を貫通孔５の内面に沿って上下動自在に設けると共に、上動した際、貫通孔５の上部開口部７から上端部が突出し、下動した際、貫通孔５の下部開口部８から下端部が突出するように構成し、操作部６に、この操作部６の左右方向に貫通する傾斜長孔９を設け、底板部１の裏面側で且つ貫通孔５の左右両側に、この貫通孔５の左右側面と平行な補強板部10を複数並設すると共に、夫々の補強板部10の板面に前後方向に長さを有する横長水平ガイド孔11を設け、この横長水平ガイド孔11と貫通孔５に設けた操作部６の傾斜長孔９とにロック杆12を挿通配設し、このロック杆12を、上部開口部７から突出する操作部６の上端部を下方に向かって押圧する下動操作により横長水平ガイド孔11に沿って前後方向に水平移動してロック位置に移動し、下部開口部８から突出する操作部６の下端部を上方に向かって押圧する上動操作により横長水平ガイド孔11に沿って前後方向に水平移動してロック解除位置に移動するように構成し、このロック杆12がロック位置に移動した際、このロック杆12と係合して底板部１の折り畳み方向への回動動作を不能にするロック杆係合部13を左右夫々の側部３に設けた構成としている。
【００３８】
以下、本実施例の折り畳み操作ロック機構について更に具体的に説明する。
【００３９】
底板部１に設けた貫通孔５は、図４に示すように、開口部形状を横長方形状に形成し、底板部１の前側中央部に設けた構成としている。
【００４０】
即ち、本実施例は、後述する操作部６を一か所に設けた構成とし、片手で操作可能な構成としている。
【００４１】
また、上部開口部７の開口縁に沿って板状に形成した当接部24を内方に向けて水平突設状態に設け、後述する操作部６を上動操作した際、操作部６がこの当接部24に当接して上動操作を停止するように構成している。
【００４２】
即ち、本実施例の貫通孔５は、この当接部24によって上部開口部７が下部開口部８よりも小径となり、この貫通孔５に配設する操作部６を上部開口部７から出し入れ不能とし、下部開口部８から出し入れ可能な構成としている。
【００４３】
また、この貫通孔５に収容配設する操作部６は、図３に示すように、横長方形状の箱状に形成し、左右側面に前下がり傾斜する傾斜長孔９を対向状態に設けた摺動部６Ａと、この摺動部６Ａの上面に突設した上側操作凸部６Ｂと、下面に突設した下側操作凸部６Ｃとから成り、上側操作凸部６Ｂの上面を下方に向けて押圧する下動操作を行うことにより、摺動部６Ａが上述した貫通孔５の内周面を摺動案内面として下方に摺動し、下側操作凸部６Ｃの下面を上方に向けて押圧する上動操作を行うことにより、摺動部６Ａが貫通孔５の内周面を摺動案内面として上方に摺動する、上下移動自在に設けた構成としている。
【００４４】
また、上側操作凸部６Ｂは、操作部６を下動操作した際、即ち、折り畳み操作ロック機構をロック操作した際、貫通孔５内に収容され、上面が底板部１の載置面１Ａと面一状態になる、若しくは底板部１の載置面１Ａよりも下方に位置するように構成し、上動操作した際、即ち、折り畳み操作ロック機構をロック解除操作した際、上側操作凸部６Ｂ全体が底板部１の載置面１Ａ上に突出するように構成している。
【００４５】
即ち、本実施例は、操作部６を下動操作して折り畳み操作ロック機構をロックした際、底板部１の貫通孔５の上部開口部７から上側操作凸部６Ｂが突出せず、底板部１の載置面１Ａ全面が平坦になり、底板部１全面を載置部として広く利用することができるように構成している。
【００４６】
更に、この上側操作凸部６Ｂが上部開口部７から突出していないことを視認することで、折り畳み操作ロック機構がロック状態であることを容易に認識することができる構成とし、逆に、上側操作凸部６Ｂが上部開口部７から突出した状態を視認することで、折り畳み操作ロック機構がロック解除状態であることを容易に認識することができる構成としている。
【００４７】
また、ロック杆12は、金属製の丸棒状体から成り、図４に示すように、底板部１の左右方向よりも稍短い長さに設定し、底板部１の裏面側に収納配設し得る構成としている。
【００４８】
また、このロック杆12は、図４，５に示すように、底板部１の裏面側に設けた複数の補強板部10に挿通し支持されながら前後方向に移動自在に設けた構成としている。
【００４９】
具体的には、補強板部10は、底板部１の前側中央部に設けた貫通孔５の左右両側に、この貫通孔５の左右側面と平行に、所定の間隔をおいて並設した構成としている。尚、本実施例では、貫通孔５の左右側面も、この補強板部10から成る構成としている。
【００５０】
更に、各補強板部10は、板面に前後方向に長さを有する横長水平ガイド孔11を連通状態に設けると共に、この横長水平ガイド孔11が、貫通孔５内に配設した操作部６の傾斜長孔９の一部とも連通状態となるように構成し、この連通状態の横長水平ガイド孔11及び傾斜長孔９に挿通配設して、横長水平ガイド孔11に沿って前後方向に水平移動自在に設けた構成としている。
【００５１】
また、本実施例では、図６に示すように、このロック杆12を横長水平ガイド孔11及び傾斜長孔９に挿入配設する際、底板部１の左右一方側の側周面に設けたロック杆挿入孔14から挿入し、挿入後、このロック杆挿入孔14を閉塞蓋15で閉塞して抜け止め状態に設けた構成としている。
【００５２】
また、このロック杆12と係合するロック杆係合部13は、図２に示すように、金属板材を鉤状に形成し、左右の各側部３の板状に形成した車輪取付け部16の板面上、若しくは車輪取付け部16に隣接する下部フレーム３Ａ上面に突出先端部13Ａを前方に向けて立設状態に設けた構成としている。
【００５３】
また、本実施例のロック杆係合部13は、ロック杆12がロック位置に移動した際、ロック杆12が当接する位置に配設した構成とし、操作部６を下動操作して折り畳み操作ロック機構をロックさせた際、金属製のロック杆12が金属製のロック杆係合部13に当接して「カチン」という金属音を発するように構成し、この金属音により、ロック杆12とロック杆係合部13との係合状態を確認しなくてもロック杆12がロック杆係合部13と係合状態にあり、折り畳み操作ロック機構がロック状態となったことを認識できるように構成している。
【００５４】
また、本実施例は、図４に示すように、底板部１の裏面にロック杆係合部収容凹部25を設け、底板部１を水平状態に配設した際、このロック杆係合部13がロック杆係合部収容凹部25内に収納されるように構成している。
【００５５】
上述のように構成した本実施例の作用・効果について以下に説明する。
【００５６】
本実施例を折り畳み収納状態から使用状態に展開する際は、先ず、折り畳み収納状態の右側部３を開き回動して背部２に対して直交状態にする。
【００５７】
この際、左右側部３間に架設杆20を架設することで、右側部３を背部２に対して容易に直交状態にすることができる。
【００５８】
次に、図７，８に示すように、背部２に折り畳み重合している底板部１を伏倒回動させて、背部２の下部フレーム２Ａ及び左右側部３の各下部フレーム３Ａに支持される水平状態にする。
【００５９】
この際、左右側部３に立設しているロック杆係合部13は、底板部１の裏面に設けたロック杆係合部収容凹部25に収容されるので、底板部１は、このロック杆係合部13と干渉することなく水平状態となることができる。
【００６０】
最後に、図９に示すように、上部開口部７から突出している操作部６の上側操作凸部６Ｂの上面を下方に向けて押圧し、操作部６を下動操作し、折り畳み操作ロック機構をロックし、この水平状態にした底板部１を起立回動不能にし、完了となる。
【００６１】
詳細には、操作部６を下動操作すると、操作部６の摺動部６Ａが貫通孔５の側周面に沿って摺動しながら下動し、この摺動部６Ａの下動により、操作部６（摺動部６Ａ）に設けた傾斜長孔９の上側傾斜縁が、この傾斜長孔９に挿通したロック杆12を押圧し、押圧されたロック杆12が、傾斜長孔９の上側傾斜縁を摺動しながら、横長水平ガイド孔11によって上下方向の移動が規制され、ロック杆係合部13に接近する後方側にスムーズに水平移動し、ロック杆係合部13に当接係合するロック位置、具体的には、ロック杆係合部13の突出先端部13Ａの真下の空間部13Ｂに移動する。
【００６２】
この空間部13Ｂに移動したロック杆12は、底板部１を起立回動すると、上方に持ち上げられて突出先端部13Ａに当接するため、起立回動が阻止され、底板部１の水平状態が保持されることとなる。
【００６３】
また、本実施例は、このロック杆12がロック位置に移動した際、金属製のロック杆12が金属製のロック杆係合部13に当接して「カチン」という金属音を発するので、ロック杆12とロック杆係合部13との係合状態を確認しなくてもロック杆12がロック杆係合部13と係合状態にあり、折り畳み操作ロック機構がロック状態となったことを認識できる。
【００６４】
また、本実施例は、ロック杆12が金属製のロック杆係合部13に当接して移動が停止するので、ロック杆12が横長水平ガイド孔11の後側端縁に当接しないので、横長水平ガイド孔11の後側端縁がロック杆12の当接による摩耗劣化や変形がなくなり、よって、この横長水平ガイド孔11を設けた補強板部10の破損を可及的に低減することができる。
【００６５】
また更に、本実施例は、この折り畳み操作ロック機構をロック状態にした際、操作部６の上側操作凸部６Ｂが貫通孔５内に収容され、上部開口部７から突出していないので、例えば、本実施例をフォークリフト等の運搬装置で運搬する際、運転手が運転席から底板部１の載置面１Ａを目視し上部開口部７から操作部６の上側操作凸部６Ｂが突出していないことを視認することで、一々運転席から降りて底板部１のロック状態を確認しなくても容易に底板部１がロック状態であることを認識でき、安心して運搬作業を行うことができる。
【００６６】
尚、本実施例を使用状態から収納状態に折り畳む際は、上述した手順を逆に行なえば良い。
【００６７】
また、折り畳み収納する際、折り畳み操作ロック機構をロック解除し、底板部１を起立回動自在な状態にするが、本実施例は、この折り畳み操作ロック機構をロック解除するために、貫通孔５の下部開口部８から突出する下側操作凸部６Ｃを上方に向けて押圧し操作部６を上動操作した際、ロック杆12が横長水平ガイド孔11の前側端縁に当接する前に、操作部６が上部開口部７の開口縁に設けた当接部24に当接して移動停止するように構成したから、下動操作時と同様に、横長水平ガイド孔11の後側端縁がロック杆12の当接による摩耗劣化や変形がなくなり、よって、この横長水平ガイド孔11を設けた補強板部10の破損を可及的に低減することができる。
【００６８】
このように、本実施例は、折り畳み操作ロック機構の構成部品を操作部６とロック杆12とロック杆係合部13のわずか三部品という少数で構成し、且つ、極めて簡易な構成としたから、製造時の組み付けが容易で安価に製造することができる。
【００６９】
しかも、本実施例は、折り畳み操作ロック機構のロック操作及びロック解除操作を、底板部１の回動操作方向と同じ方向、即ち、ロック操作方向は、底板部１を伏倒回動操作する方向と同じ方向の下動操作とし、ロック解除操作方向を、底板部１を起立回動操作する方向と同じ方向の上動操作としたから、底板部１の回動操作とロック若しくはロック解除のための操作部６の操作が一連の動作の中で行うことができ、極めて操作性に優れた折り畳み式運搬台車となる。
【００７０】
尚、本発明は、本実施例に限られるものではなく、各構成要件の具体的構成は適宜設計し得るものである。
【符号の説明】
【００７１】
１  底板部
１Ａ  載置面
２  背部
３  側部
４  車輪部
５  貫通孔
６  操作部
７  上部開口部
８  下部開口部
９  傾斜長孔
10  補強板部
11  横長水平ガイド孔
12  ロック杆
13  ロック杆係合部
14  ロック杆挿入孔
15  閉塞蓋
【図１】
2015067205.tif 000003
【図２】
2015067205.tif 000004
【図３】
2015067205.tif 000005
【図４】
2015067205.tif 000006
【図５】
2015067205.tif 000007
【図６】
2015067205.tif 000008
【図７】
2015067205.tif 000009
【図８】
2015067205.tif 000010
【図９】
2015067205.tif 000011